(57)【特許請求の範囲】
【請求項１】
天井設置型の空気調和装置の室内機（１）であって、
室内機本体（２）と、
前記室内機本体（２）にロックされたロック状態と前記室内機本体（２）に対するロックが解除されたロック解除状態とを採り得ると共に、前記ロック解除状態を採る場合には前記室内機本体（２）の下方に下降可能なパネル（３）と、
前記パネル（３）の下降指示を受付可能な指示受付部（６）と、
前記パネル（３）のロック状態時に前記指示受付部（６）が前記パネル（３）の下降指示を受け付けた場合、前記パネル（３）が下降しないように前記パネル（３）の動作を制御するパネル動作制御部（１１）と、
を備え、
前記室内機本体（２）の下面には、室内空気の吸い込み口（２１）が形成されており、
前記パネル（３）は、前記ロック状態を採る場合、前記室内機本体（２）に対し回動することで前記吸い込み口（２１）を開閉可能なように前記吸い込み口（２１）付近に設けられている、
空気調和装置の室内機（１）。
【請求項２】
前記パネル動作制御部（１１）は、前記室内機（１）の電源投入の際に前記指示受付部（６）が前記パネル（３）の下降指示を受け付けた場合、前記パネル（３）を第１所定位置まで上昇させるイニシャライズ処理が完了するまで前記パネル（３）が下降しないように、前記パネル（３）の動作を制御する、
請求項１に記載の空気調和装置の室内機（１）。
【請求項３】
前記パネル（３）が前記第１所定位置に位置することを検知する第１検知部（４ａ，４ｂ）を更に備え、
前記パネル動作制御部（１１）は、前記第１検知部（４ａ，４ｂ）の検知結果に基づいて、前記パネル（３）の動作を制御する、
請求項２に記載の空気調和装置の室内機（１）。
【請求項４】
前記パネル動作制御部（１１）は、前記室内機（１）の空調運転時に前記指示受付部（６）が前記パネル（３）の下降指示を受け付けた場合、前記パネル（３）を第２所定位置まで上昇させる自動収納処理が完了するまで前記パネル（３）が下降しないように、前記パネル（３）の動作を制御する、
請求項１〜３のいずれかに記載の空気調和装置の室内機（１）。
【請求項５】
前記パネル（３）が前記第２所定位置に位置することを検知する第２検知部（４ａ，４ｂ）を更に備え、
前記パネル動作制御部（１１）は、前記第２検知部（４ａ，４ｂ）の検知結果に基づいて、前記パネル（３）の動作を制御する、
請求項４に記載の空気調和装置の室内機（１）。
【請求項６】
前記パネル（３）が前記室内機本体（２）から下降した状態で空調運転が行われることを報知する報知部（７）を更に備える、
請求項１〜５のいずれかに記載の空気調和装置の室内機（１）。
【請求項７】
前記パネル（３）の回動軸（３１）を把持する把持部（８１ａ，８１ｂ）を備え、
前記パネル（３）は、前記把持部（８１ａ，８１ｂ）により前記回動軸（３１）が把持されることで前記室内機本体（２）にロックされる、
請求項１に記載の空気調和装置の室内機（１）。
【発明の詳細な説明】
【技術分野】
【０００１】
本発明は、空気調和装置の室内機、特に、天井設置型の空気調和装置の室内機に関する。
【背景技術】
【０００２】
従来より、天井に設置される空気調和装置の室内機としては、例えば特許文献１〜特許文献３に開示されているように、本体の下面に吸い込み口や吹き出し口を有するものが良く知られている。そして、室内機の本体の下面には、吸い込み口を開閉するためのパネルが設けられている。このパネルは、ワイヤにより室内機本体から吊り下げられることが可能となっている。
【０００３】
また、上述したような空気調和装置には、例えば空調運転時や停止時においてパネルが室内機本体にロックされた状態となり、吸い込み口を開閉するものがある。また、このような空気調和装置のパネルは、室内機のメンテナンス時には、室内機本体に対するロックが解除された状態を採り、室内機本体の下方に下降することができる。
【特許文献１】特開２００５−１５６０８３号公報
【特許文献２】特開２００７−４０６８９号公報
【特許文献３】特開平１０−１９６９９９号公報
【発明の開示】
【発明が解決しようとする課題】
【０００４】
ところで、パネルが室内機本体にロックされた状態において、パネルの下降指示がなされると、先ずはパネルの室内機本体へのロックが解除され、次いでパネルは下降動作を開始する。しかしながら、パネルが室内機本体にロックされている際にワイヤが緩められた状態にあると、パネルは、下降動作開始直後、緩められたワイヤの分だけ急に落下してしまう。
【０００５】
そこで、本発明は、緩められたワイヤによりパネルが急に落下してしまうことを防ぐことができる空気調和装置の室内機の提供を目的とする。
【課題を解決するための手段】
【０００６】
発明１に係る空気調和装置の室内機は、天井設置型の空気調和装置の室内機であって、室内機本体と、パネルと、指示受付部と、パネル動作制御部とを備える。パネルは、室内機本体にロックされたロック状態と、室内機本体に対するロックが解除されたロック解除状態とを採り得る。そして、パネルは、ロック解除状態を採る場合には、室内機本体の下方に下降することが可能である。指示受付部は、パネルの下降指示を受付可能である。パネル動作制御部は、パネルのロック状態時に指示受付部がパネルの下降指示を受け付けた場合、パネルが下降しないように、パネルの動作を制御する。そして、室内機本体の下面には、室内空気の吸い込み口が形成されている。パネルは、ロック状態を採る場合、室内機本体に対し回動することで吸い込み口を開閉可能なように、吸い込み口付近に設けられている。
【０００７】
この空気調和装置の室内機によると、パネルが室内機本体にロックされている状態時にパネルの下降指示がなされると、パネルが急に下降しないように、パネルの動作の制御が行われる。これにより、パネルが室内機本体にロックされた状態においてワイヤが緩められていても、ロック解除されたパネルが緩められたワイヤにより急に落下することを防ぐことができる。特に、この空気調和装置の室内機では、室内機本体の吸い込み口は、室内機本体にロックされている回動タイプのパネルにより、容易に開閉される。
【０００８】
発明２に係る空気調和装置の室内機は、発明１に係る空気調和装置の室内機であって、パネル動作制御部は、室内機の電源投入の際に指示受付部がパネルの下降指示を受け付けた場合、イニシャライズ処理が完了するまでパネルが下降しないように、パネルの動作を制御する。イニシャライズ処理は、パネルを第１所定位置まで上昇させる処理である。
【０００９】
この室内機によると、室内機の電源投入時にロック状態であるパネルの下降指示がなされた場合、先ずはパネルを一旦第１所定位置まで上昇させるイニシャライズ処理が行われる。そして、イニシャライズ処理が完了した後に、パネルのロックが解除され、パネルの下降動作が開始される。このように、この室内機によると、室内機の電源が投入された際、直ぐにはパネルの下降動作が行われない。そのため、電源投入時にワイヤが緩められている状態であっても、ロック解除されたパネルが、緩められたワイヤにより急に落下することを防ぐことができる。
【００１０】
発明３に係る空気調和装置の室内機は、発明２に係る空気調和装置の室内機であって、第１検知部を更に備える。第１検知部は、パネルが第１所定位置に位置することを検知する。そして、パネル動作制御部は、第１検知部の検知結果に基づいて、パネルの動作を制御する。
【００１１】
ここで、第１検知部が、パネルが第１所定位置に位置してない時にはオフ信号を出力し、パネルが第１所定位置に位置している時にはオン信号を出力する場合を考える。この場合、パネル動作制御部は、例えば第１検知部の検知結果がオフ信号のままである時には、イニシャライズ処理が完了していないと判断し、パネルの下降動作を開始させないようにする。また、パネル動作制御部は、検知結果がオフ信号からオン信号に切り替わった場合、イニシャライズ処理が完了したと判断し、パネルの下降動作を開始させる。これにより、パネルの位置が確実に第１所定位置に達した後に、パネルの下降動作が行われるようになる。
【００１２】
発明４に係る空気調和装置の室内機は、発明１〜３のいずれかに係る空気調和装置の室内機であって、パネル動作制御部は、室内機の空調運転時に指示受付部がパネルの下降指示を受け付けた場合、自動収納処理が完了するまでパネルが下降しないように、パネルの動作を制御する。自動収納処理は、パネルを第２所定位置まで上昇させる処理である。
【００１３】
ここで、室内機の“空調運転”としては、例えば冷房運転や暖房運転が挙げられる。この室内機によると、室内機の運転時にロック状態であるパネルの下降指示がなされた場合、先ずはパネルを一旦第２所定位置まで上昇させる自動収納処理が行われる。そして、自動収納処理が完了した後に、パネルのロックが解除され、パネルの下降動作が開始される。このように、この室内機によると、自動収納処理完了前であれば、直ぐにはパネルの下降動作が行われない。そのため、室内機の運転時にワイヤが緩められている場合であっても、ロック解除されたパネルが、緩められたワイヤにより急に落下することを防ぐことができる。
【００１４】
発明５に係る空気調和装置の室内機は、発明４に係る空気調和装置の室内機であって、第２検知部を更に備える。第２検知部は、パネルが第２所定位置に位置することを検知する。そして、パネル動作制御部は、第２検知部の検知結果に基づいて、パネルの動作を制御する。
【００１５】
ここで、第２検知部が、パネルが第２所定位置に位置してない時にはオフ信号を出力し、パネルが第２所定位置に位置している時にはオン信号を出力する場合を考える。この場合、パネル動作制御部は、例えば第２検知部の検知結果がオフ信号のままである時には、自動収納処理が完了していないと判断し、パネルの下降動作を開始させないようにする。また、パネル動作制御部は、検知結果がオフ信号からオン信号に切り替わった場合、自動収納処理が完了したと判断し、パネルの下降動作を開始させる。これにより、パネルの位置が確実に第２所定位置に達した後に、パネルの下降動作が行われるようになる。
【００１６】
発明６に係る空気調和装置の室内機は、発明１〜５のいずれかに係る空気調和装置の室内機であって、報知部を更に備える。報知部は、パネルが室内機本体から下降した状態で空調運転が行われることを報知する。
【００１７】
この空気調和装置の室内機によると、利用者は、パネルが室内機本体の下方に下降した状態で空調運転が行われる旨を知ることができる。
【００１８】
発明７に係る空気調和装置の室内機は、発明１に係る空気調和装置の室内機であって、把持部を更に備える。把持部は、パネルの回動軸を把持する。そして、パネルは、把持部により回動軸が把持されることで、室内機本体にロックされる。
【００１９】
この空気調和装置の室内機によると、パネルがロック状態を採る場合には、パネルの回動軸が把持されるため、パネルは、安定して室内機本体にロックされるようになる。
【発明の効果】
【００２０】
発明１に係る空気調和装置の室内機によると、パネルが室内機本体にロックされた状態においてワイヤが緩められていても、ロック解除されたパネルが緩められたワイヤにより急に落下することを防ぐことができる。特に、室内機本体の吸い込み口は、室内機本体にロックされている回動タイプのパネルにより、容易に開閉される。
【００２１】
発明２に係る空気調和装置の室内機によると、室内機の電源が投入された際、直ぐにはパネルの下降動作が行われない。そのため、電源投入時にワイヤが緩められている状態であっても、ロック解除されたパネルが、緩められたワイヤにより急に落下することを防ぐことができる。
【００２２】
発明３に係る空気調和装置の室内機によると、パネルの位置が確実に第１所定位置に達した後に、パネルの下降動作が行われるようになる。
【００２３】
発明４に係る空気調和装置の室内機によると、自動収納処理完了前には、直ぐにはパネルの下降動作が行われない。そのため、室内機の運転時にワイヤが緩められている場合であっても、ロック解除されたパネルが、緩められたワイヤにより急に落下することを防ぐことができる。
【００２４】
発明５に係る空気調和装置の室内機によると、パネルの位置が確実に第２所定位置に達した後に、パネルの下降動作が行われるようになる。
【００２５】
発明６に係る空気調和装置の室内機によると、利用者は、パネルが室内機本体の下方に下降した状態で空調運転が行われる旨を知ることができる。
【００２６】
発明７に係る空気調和装置の室内機によると、パネルがロック状態を採る場合には、パネルの回動軸が把持されるため、パネルは、安定して室内機本体にロックされるようになる。
【発明を実施するための最良の形態】
【００２７】
以下、本発明に係る空気調和装置の室内機について、図面を用いて説明する。
【００２８】
（１）構成
図１（ａ）〜（ｃ）は、本実施形態に係る空気調和装置の室内機１の斜視図である。図２は、図１の室内機１の内部の構成を、室内機１の第１側面２ａ側から見た場合の概略図である。この室内機１は、天井設置型の室内機であって、暖房運転や冷房運転等の空調運転、フィルタ清掃運転等を行うことができる。ここで、フィルタ清掃運転とは、後述するフィルタ２５が捕集した塵埃をフィルタ２５から剥離させるための運転である。
【００２９】
室内機１は、図１〜図８に示すように、主として、本体２（室内機本体に相当）、フラットパネル３（パネルに相当）、収納検知リミットスイッチ４ａ，４ｂ（第１検知部、第２検知部に相当）、水平フラップ５、受信部６（指示受付部に相当）、運転状態表示部７（報知部に相当）、パネルロック機構８ａ，８ｂ、パネル昇降駆動部９ａ，９ｂ及び制御部１０を備える。
【００３０】
尚、以下では、例えば本体２の「下方」のように、「上」、「下」等の方向を示す表現を適宜用いているが、これらは室内機１が図１に示すように室内の天井に取り付けられ、通常使用される状態での各方向を表す。
【００３１】
〔本体〕
本体２は、図１のＷ方向に長い箱状の形状を有しており、下面として化粧パネル２ｂを有している。化粧パネル２ｂには、図１及び図２に示すように、吸い込み口２１と吹き出し口２２とが１つずつ形成されている。吸い込み口２１は、室内の空気が吸い込まれるための開口であって、吹き出し口２２は、吸い込み口２１から吸い込まれ室内熱交換器２４により熱交換された後の空気が室内へ吹き出されるための開口である。吸い込み口２１及び吹き出し口２２は、本体２の長手方向（即ち、Ｗ方向）に沿って細長い略矩形状の形状を有している。そして、吸い込み口２１の面積は、吹き出し口２２の面積よりも大きい。
【００３２】
本体２の内部には、図２に示すように、主として、送風ファン２３、室内熱交換器２４、フィルタ２５、フィルタ清掃機構２６等が収容されている。送風ファン２３は、吸い込み口２１から吹き出し口２２への空気の流れを生成するためのものである。送風ファン２３は、ファンモータ２３ａ（図８）と接続されており、ファンモータ２３ａにより回転駆動される。室内熱交換器２４は、室内の空気と熱交換を行うためのものである。フィルタ２５は、吸い込み口２１の上方に設けられており、吸い込み口２１を通過した空気中の塵埃を捕集する。フィルタ清掃機構２６は、フィルタ２５を図２の矢印Ａまたは矢印Ｂの方向へ移動させるためのフィルタ移動部２７や、フィルタ２５が捕集した塵埃をフィルタ２５から掻き出すブラシ２８、ブラシ２８により掻き出された塵埃を貯めるダストボックス２９等で構成される。尚、フィルタ移動部２７やブラシ２８は、これらの駆動源として機能するフィルタ清掃駆動部２６ａ（図８）と接続されており、フィルタ清掃駆動部２６ａにより駆動される。
【００３３】
また、本体２の内部には、収納検知リミットスイッチ４ａ，４ｂ、パネルロック機構８ａ，８ｂ、パネル昇降駆動部９ａ，９ｂ及び制御部１０が収容されているが、これらについては後述する。
【００３４】
〔フラットパネル〕
フラットパネル３は、図１に示すように、吸い込み口２１と同様、本体２のＷ方向に沿って細長い略矩形状の形状を有している。このフラットパネル３は、図１（ｂ）や図５（ｂ）に示すように、本体２に対し回動自在に取り付けられることが可能である。また、フラットパネル３は、図１（ｃ）や図５（ｃ）に示すように、パネル昇降駆動部９ａ，９ｂにおける２本のワイヤ９１ａ，９１ｂ（後述）により吊り上げられている。
【００３５】
具体的に、フラットパネル３は、吸い込み口２１付近に位置する場合、パネルロック機構８ａ，８ｂにより本体２に対しロックされたロック状態を採る。ここで、フラットパネル３がロック状態を採る場合としては、図１（ａ）や図５（ａ）に示すように、フラットパネル３が本体２に収納され吸い込み口２１を閉じている状態や、図１（ｂ）や図５（ｂ）に示すように、フラットパネル３が吹き出し口２２側の端部を中心として本体２に対し回動可能となる状態が挙げられる。特に、フラットパネル３が本体２に対し回動する場合には、フラットパネル３は、パネル回動用モータ３２の出力軸に連結された回動軸３１を中心として回動し（図３）、吸い込み口２１を開閉することができる（図１（ｂ），図５（ｂ））。
【００３６】
ここで、本実施形態では、フラットパネル３の回動軸３１が、フラットパネル３本体にあるのではなく、本体２の化粧パネル２ｂ側に設けられている場合を例に採る。具体的に、回動軸３１は、化粧パネル２ｂにおける吸い込み口２１の長辺のうち、吹き出し口２２に近い長辺の両端部分に設けられている。回動軸３１は、パネルロック機構８ａ，８ｂの把持部８１ａ，８１ｂ（後述）により把持されることでフラットパネル３に連結された状態となり、これによりフラットパネル３は本体２にロックされる。即ち、回動軸３１は、フラットパネル３がロック状態を採る場合、フラットパネル３が本体２に対し回動可能となるように、フラットパネル３と本体２とを連結する役割を担う。そして、フラットパネル３と本体２とが回動軸３１により連結された後に、パネル回動用モータ３２が回転駆動することで、フラットパネル３は、本体２に対し所定角度回動して吸い込み口２１を開放することができる。尚、フラットパネル３が吸い込み口２１を開放すると、室内の空気は、図１（ｂ）の矢印Ｃの方向から吸い込み口２１を介して本体２の内部に送られる。
【００３７】
尚、フラットパネル３がロック状態を採るその他の場合としては、図４に示すように、フラットパネル３の一部が本体２にロックされた、いわゆる異常状態が挙げられる。即ち、フラットパネル３の異常状態とは、２つの回動軸３１のうち１つがフラットパネル３と本体２とを連結しているが、もう１の回動軸３１はフラットパネル３と本体２とを連結していない状態をいう。
【００３８】
また、フラットパネル３は、本体２に対するロックが解除されたロック解除状態を採ることができる。即ち、フラットパネル３のロック解除状態とは、２つの回動軸３１が共にフラットパネル３に連結されていない状態であって、かつ２本のワイヤ９１ａ，９１ｂによりフラットパネル３が本体２から吊り下げられている状態をいう。この場合、図１（ｃ）や図５（ｃ）に示すように、ワイヤ９１ａ，９１ｂの繰り出し及び巻き取りが行われることで、フラットパネル３は、吸い込み口２１の下方に下降したり上昇したりすることができる。
【００３９】
このようなフラットパネル３は、室内機１の運転停止時や運転時（空調運転や、フィルタ清掃運転時）には、吸い込み口２１付近に位置し、ロック状態を採る（例えば図１（ａ）（ｂ））。そして、室内機１のメンテナンス時には、ロック解除状態を採り、吸い込み口２１の下方に下降する（図１（ｃ））。
【００４０】
〔収納検知リミットスイッチ〕
収納検知リミットスイッチ４ａ，４ｂは、図５に示すように、化粧パネル２ｂの吸い込み口２１付近に２つ設けられている。より具体的には、２つの収納検知リミットスイッチ４ａ，４ｂは、吸い込み口２１の長辺のうち吹き出し口２２と離れている長辺に沿うようにして、互いに所定距離離れて設けられている。
【００４１】
各収納検知リミットスイッチ４ａ，４ｂは、フラットパネル３が化粧パネル２ｂにおける吸い込み口２１付近の位置Ｐ（図２参照。第１所定位置及び第２所定位置に相当）に位置することを検知する。より詳細には、収納検知リミットスイッチ４ａ，４ｂは、フラットパネル３が位置Ｐにある場合、オン信号を検知結果として出力する。逆に、フラットパネル３が位置Ｐにない場合（例えば、図２の位置Ｑに位置する場合）、収納検知リミットスイッチ４ａ，４ｂは、オフ信号を検知結果として出力する。収納検知リミットスイッチ４ａ，４ｂにより出力されたオン信号及びオフ信号は、制御部１０に取り込まれる。
【００４２】
尚、図１（ａ）〜（ｃ）や図５（ａ）〜（ｃ）に示すように、フラットパネル３が本体２の化粧パネル２ｂに対し略平行である場合には、収納検知リミットスイッチ４ａ，４ｂは、共に同じ信号を出力する。しかし、図４に示すように、フラットパネル３が化粧パネル２ｂに対し平行ではなく、異常状態を採る場合には、収納検知リミットスイッチ４ａ，４ｂは、互いに異なる信号を出力する。
【００４３】
〔水平フラップ〕
水平フラップ５は、吹き出し口２２から吹き出される空気を、図１（ｂ）の矢印Ｄの方向に案内するためのものであって、吹き出し口２２を開閉可能に設けられている。水平フラップ５は、運転停止時及び室内機１のメンテナンス時には吹き出し口２２を閉じる姿勢を採っている（図１（ａ）（ｃ））。また、水平フラップ５は、室内機１が空調運転を行っている時には、吸い込み口２１側の端部を軸として回動し、吹き出し口２２を開放する姿勢を採っている（図１（ｂ））。このような水平フラップ５は、モータやギア（いずれも図示せず）等により回転駆動される。
【００４４】
〔受信部〕
受信部６は、図１に示すように、本体２の化粧パネル２ｂに設けられている。受信部６は、リモートコントローラから送られてくる各種運転の開始指示や、各種設定等を受信可能なように設けられている。例えば、受信部６は、冷暖房運転等の空調運転の開始指示や室内の設定温度を、リモートコントローラを介して受け付けることができる。また、受信部６は、フラットパネル３の昇降指示を、リモートコントローラを介して受け付けることができる。
【００４５】
尚、本実施形態では、冷暖房運転等の空調運転の開始及び停止指示と、メンテナンス時におけるフラットパネル３の昇降指示やフィルタ清掃運転の開始指示とが、それぞれ別々のリモートコントローラを介して送られる場合を例に取る。図６（ａ）は、空調運転の開始及び停止指示が利用者によりなされる際に用いられるリモートコントローラの外観を示している。図６（ｂ）は、フラットパネル３の昇降指示やフィルタ清掃運転の開始指示が利用者によりなされる際に用いられるリモートコンローラの外観を示している。
【００４６】
〔運転状態表示部〕
運転状態表示部７は、受信部６と同様、本体２の化粧パネル２ｂに設けられている。運転状態表示部７は、例えばＬＥＤで構成され、室内機１の運転状況に応じて点灯や点滅を行う。
【００４７】
例えば、運転状態表示部７は、フラットパネル３が図１（ｂ）に示すように本体２に対し所定角度回動した状態であって、空調運転が行われる場合には、緑色に点灯する。運転状態表示部７は、フラットパネル３が図１（ａ）に示すように吸い込み口２１を閉じている状態であって、フィルタ２５の清掃運転が行われている場合には、橙色に点灯する。また、運転状態表示部７は、フラットパネル３の昇降動作が禁止されている状態時に、受信部６がフラットパネル３の昇降指示を受け付けた場合、赤色で点灯する。このように、室内機１の運転状態に応じて運転状態表示部７の点灯する色を変えることで、室内機１の利用者は、室内機１の現在の運転状態を確認することができる。ここで、フラットパネル３の昇降動作が禁止されている場合としては、例えばパネルロック機構８ａ，８ｂやパネル昇降駆動部９ａ，９ｂが故障している場合等が挙げられる。
【００４８】
更に、運転状態表示部７は、空調運転の開始指示を受信部６が受信した時に、フラットパネル３がロック解除状態であれば（例えば、図１（ｃ））、赤色で点滅する。これにより、室内機１の利用者は、フラットパネル３がロック解除状態で空調運転が行われる旨を知ることができる。
【００４９】
〔パネルロック機構〕
パネルロック機構８ａ，８ｂは、フラットパネル３を本体２にロックさせたりロック解除させたりするためのものであって、図５（ａ）〜（ｃ）に示すように、化粧パネル２ｂの吸い込み口２１付近に２つ設けられている。より具体的には、本実施形態に係るパネルロック機構８ａ，８ｂは、吸い込み口２１の長辺のうち、吹き出し口２２に近い側の長辺の両端部分に１つずつ設けられている。そして、各パネルロック機構８ａ，８ｂは、図８に示すように、それぞれ把持部８１ａ，８１ｂ、ロックモータ８２ａ，８２ｂ、ロックリミットスイッチ８３ａ，８３ｂを有している。このように、パネルロック機構８ａ，８ｂは、化粧パネル２ｂ上において設けられている位置が異なっているが、同様の構成を有する。そのため、以下では、図３を用いて、パネルロック機構８ａを例に取り説明する。
【００５０】
把持部８１ａは、フラットパネル３の回動軸３１を把持するためのものである。より具体的には、本実施形態に係る把持部８１ａは、ロックモータ８２ａの回転駆動により図３の矢印ＥまたはＦの方向に所定距離移動することができる。また、把持部８１ａは、フラットパネル３の回動軸３１に連結可能な連結部（図示せず）を有している。このような構成を有する把持部８１ａは、矢印Ｅの方向に移動すると、連結部がフラットパネル３の回動軸３１に連結し、フラットパネル３を本体２に対しロックさせることができる。逆に、把持部８１ａは、矢印Ｆの方向に移動すると、連結部がフラットパネル３の回動軸３１から離れ、フラットパネル３をロック解除の状態にすることができる。
【００５１】
ロックモータ８２ａは、把持部８１ａを移動させるための駆動源であって、ＣＷ（Clock Wise)方向またはＣＣＷ(Counter Clock Wise)方向に回転駆動することができる。ロックモータ８２ａの駆動制御は、後述する制御部１０により行われる。
【００５２】
ロックリミットスイッチ８３ａは、フラットパネル３がロック状態であるか否かを検知する。具体的に、本実施形態に係るロックリミットスイッチ８３ａは、図示しないギアを介してロックモータ８２ａと連結されており、ロックモータ８２ａがＣＷ方向またはＣＣＷ方向に回転駆動するのに伴い、把持部８１ａの移動方向である矢印Ｅまたは矢印Ｆに所定距離だけ移動することができる。また、ロックリミットスイッチ８３ａは、把持部８１ａとは直接連結されている。これにより、把持部８１ａは、ロックリミットスイッチ８３ａの移動と共に矢印Ｅまたは矢印Ｆの方向に移動し、フラットパネル３を本体２にロックしたりロック解除したりすることができる。
【００５３】
このようなロックリミットスイッチ８３ａは、矢印Ｅの方向に端まで移動した場合は、回動軸３１が把持部８１ａにより把持されたと判断し、フラットパネル３がロック状態となった旨を示すオン信号を出力する。逆に、ロックリミットスイッチ８３ａは、矢印Ｆの方向に端まで移動した場合は、把持部８１ａが回動軸３１から離れたと判断し、フラットパネル３がロック解除状態になった旨を示すオフ信号を出力する。
【００５４】
〔パネル昇降駆動部〕
パネル昇降駆動部９ａ，９ｂは、フラットパネル３を上昇または下降させるためのものであって、図５に示すように、本体２の化粧パネル２ｂにおける吸い込み口２１付近に２つ設けられている。より具体的には、パネル昇降駆動部９ａ，９ｂは、化粧パネル２ｂの短辺に沿って１つずつ設けられている。各パネル昇降駆動部９ａ，９ｂは、図８に示すように、それぞれワイヤ９１ａ，９１ｂ、昇降部９２ａ，９２ｂ及び位置検知カウンタリミットスイッチ９７ａ，９７ｂを有している。
【００５５】
各ワイヤ９１ａ，９１ｂの一端は、フラットパネル３に連結され、他端は、各昇降部９２ａ，９２ｂに連結されている。この２本のワイヤ９１ａ，９１ｂは、図１（ｃ）に示すように、フラットパネル３の手前側の第１端部３ａに近い部分、及びフラットパネル３の奥側の第２端部３ｂに近い部分を吊り上げる。
【００５６】
昇降部９２ａ，９２ｂは、ワイヤ９１ａ，９１ｂの巻き取り及び繰り出しを行う。尚、昇降部９２ａ及び昇降部９２ｂは、巻き取り等を行うワイヤが異なる他は、同様の構成を有する。そのため、以下では、昇降部９２ａの構成を例に取り説明する。昇降部９２ａは、図７に示すように、滑車９３、巻取り歯車９４、駆動歯車９５及び昇降モータ９６を含む。滑車９３は、滑車部９３ａとカム部９３ｂとが一体に成形されており、滑車部９３ａは、ワイヤ９１ａを支持すると共に、ワイヤ９１ａの移動に伴って回転する。カム部９３ｂは、小径曲面部分、大径曲面部分、及びこれらの両曲面部分を結ぶ平面部分とで構成される。巻取り歯車９４は、ワイヤ９１ａを巻き取るためのボビン９４ａと、歯車部９４ｂとを有しており、ボビン９４ａと歯車部９４ｂとは一体形成されている。駆動歯車９５は、巻取り歯車９４の歯車部９４ｂと噛み合い、巻取り歯車９４を回転させる。これにより、ワイヤ９１ａは、ボビン９４ａから繰り出されたりボビン９４ａに巻き取られたりすることができる。昇降モータ９６は、駆動歯車９５を回転駆動させるためのステッピングモータである。
【００５７】
位置検知カウンタリミットスイッチ９７ａ，９７ｂは、ワイヤ９１ａ，９１ｂの繰り出しに応じてカウンタ値を増加させる。ここで、位置検知カウンタリミットスイッチ９７ａ，９７ｂは、同様の構成を有するため、位置検知カウンタリミットスイッチ９７ａの構成を例に取る。位置検知カウンタリミットスイッチ９７ａは、図７に示すように、レバー９８ａを有するマイクロスイッチであって、レバー９８ａが押されることでオンする。レバー９８ａは、常に滑車９３のカム部９３ｂと接触しており、カム部９３ｂとの接触部分が小径曲面部分から大径曲面部分に、または大径曲面部分から小径曲面部分となった時に押される。
【００５８】
〔制御部〕
制御部１０は、ＣＰＵ及びメモリからなるマイクロコンピュータで構成され、図８に示すように、主として、収納検知リミットスイッチ４ａ，４ｂ、受信部６、運転状態表示部７、パネルロック機構８ａ，８ｂ、パネル昇降駆動部９ａ，９ｂ、ファンモータ２３ａ、フィルタ清掃駆動部２６ａ及びパネル回動用モータ３２と接続されており、接続された各機器の制御を行う。例えば、制御部１０は、受信部６がリモートコントローラから受信した空調運転の開始指示等に基づいて、冷房運転や暖房運転等の運転制御、ファンモータ２３ａの回転駆動制御等を行う。また、制御部１０は、フラットパネル３の上昇動作中にフィルタ清掃運転の開始指示を受信部６が受信した場合、フラットパネル３の上昇動作が完了した後にフィルタ清掃運転が開始されるように、フィルタ清掃駆動部２６ａを制御する。特に、本実施形態に係る制御部１０は、フラットパネル３の昇降指示を受信部６が受信した場合、その時々のフラットパネル３の状態に応じてフラットパネル３の動作を制御する。また、制御部１０は、パネルロック機構８ａ，８ｂの動作制御や運転状態表示部７の表示制御を行う。このような動作を行うため、制御部１０は、パネル動作制御部１１、ロック機構制御部１２及び表示制御部１３として機能する。
【００５９】
〔パネル動作制御部〕
パネル動作制御部１１は、フラットパネル３の動作を制御する。即ち、パネル動作制御部１１は、パネル昇降駆動部９ａ，９ｂの制御を行い、パネル昇降駆動部９ａ，９ｂの昇降部９２ａ，９２ｂに、ワイヤ９１ａ，９１ｂの繰り出し及び巻き取りを行わせる。
【００６０】
以下に、本実施形態に係るパネル動作制御部１１の制御内容について、より詳細に説明する。
【００６１】
パネル動作制御部１１は、フラットパネル３のロック状態時に、フラットパネル３の下降指示を受信部６が受け付けた場合、フラットパネル３が下降しないように、パネル昇降駆動部９ａ，９ｂを制御する。即ち、パネル動作制御部１１は、フラットパネル３のロック状態時にリモートコントローラを介してフラットパネル３の下降指示があった場合には、フラットパネル３の下降指示をパネル昇降駆動部９ａ，９ｂに出力しないようにする。これにより、パネル昇降駆動部９ａ，９ｂの昇降部９２ａ，９２ｂは、ワイヤ９１ａ，９１ｂを繰り出すことがないため、フラットパネル３は下降しない。
【００６２】
ここで、パネル動作制御部１１が上記制御（即ち、フラットパネル３を下降させない制御）を行う際に満たされるべき条件について、より説明する。パネル動作制御部１１は、具体的に下記の条件１〜２が満たされた場合に、上記制御を行う。
条件１：フラットパネル３がロック状態である時に室内機１の電源が投入され、下降指示がなされた場合。
条件２：フラットパネル３がロック状態であって室内機１が空調運転を行っている時に、下降指示がなされた場合。
【００６３】
通常、フラットパネル３が本体２にロックされた状態において室内機１の電源が投入されると、パネル動作制御部１１は、フラットパネル３を化粧パネル２ｂの吸い込み口２１まで上昇させるいわゆるイニシャライズ処理が行われるように、パネル昇降駆動部９ａ，９ｂを制御する。具体的に、イニシャライズ処理では、パネル動作制御部１１は、フラットパネル３が吸い込み口２１に達し、収納検知リミットスイッチ４ａ，４ｂがオン信号を出力するまで、パネル昇降駆動部９ａ，９ｂの昇降部９２ａ，９２ｂに、ワイヤ９１ａ，９１ｂの巻き取りを行わせる。そして、収納検知リミットスイッチ４ａ，４ｂがオン信号を出力すると、パネル動作制御部１１は、昇降部９２ａ，９２ｂによるワイヤ９１ａ，９１ｂの巻き取りを停止させる。このイニシャライズ処理が行われている間にフラットパネル３の下降指示がなされた場合には（条件１）、パネル動作制御部１１は、イニシャライズ処理が完了してからフラットパネル３の下降が行われるように、パネル昇降駆動部９ａ，９ｂを制御する。尚、フラットパネル３が吸い込み口２１に達したことで収納検知リミットスイッチ４ａ，４ｂが共にオン信号を出力すると、パネル動作制御部１１は、イニシャライズ処理が完了したものと判断する。この時、フラットパネル３のロックが解除される。パネル動作制御部１１は、フラットパネル３のロック解除後に、昇降部９２ａ，９２ｂにワイヤ９１ａ，９１ｂの繰り出しを行わせる。
【００６４】
特に、フラットパネル３がロック状態である時に室内機１の電源が投入された場合には、フラットパネル３が予め図２の位置Ｐに位置しており、収納検知リミットスイッチ４ａ，４ｂがオン信号を出力している可能性がある。すると、パネル動作制御部１１は、収納検知リミットスイッチ４ａ，４ｂの出力に基づいてイニシャライズ処理が終了したか否かを判断しにくくなってしまう。このような場合は、パネル動作制御部１１は、フラットパネル３を一旦所定角度回動させ（例えば、図２の位置Ｒ）、その後フラットパネル３が位置Ｐの状態に至るまでフラットパネル３を上昇（回動）させるとよい。所定角度としては、収納検知リミットスイッチ４ａ，４ｂの出力がオン信号からオフ信号に変化する程度が望ましい。これにより、パネル動作制御部１１は、収納検知リミットスイッチ４ａ，４ｂの出力がオン信号に変化することで、イニシャライズ処理が完全に終了したことを知ることができる。
【００６５】
また、空調運転を行っている場合、フラットパネル３は、図１（ｂ）に示すように本体２に対し回動した状態となっている。このような場合に下降指示がなされた場合（条件２）、パネル動作制御部１１は、イニシャライズ処理と同様、フラットパネル３を化粧パネル２ｂの吸い込み口２１まで上昇させる処理（自動収納処理という）を、パネル昇降駆動部９ａ，９ｂに行わせる。そして、パネル動作制御部１１は、自動収納処理が完了してからフラットパネル３の下降が行われるように、パネル昇降駆動部９ａ，９ｂを制御する。尚、フラットパネル３が吸い込み口２１に達したことで収納検知リミットスイッチ４ａ，４ｂが共にオン信号を出力し、フラットパネル３のロックが解除されると、パネル動作制御部１１は、昇降部９２ａ，９２ｂにワイヤ９１ａ，９１ｂの繰り出しを行わせる。
【００６６】
尚、図４に示すように、フラットパネル３が異常状態である場合に下降指示がなされた場合には、パネル動作制御部１１は、フラットパネル３が下降しないように、パネル昇降駆動部９ａ，９ｂを制御する。具体的には、パネル動作制御部１１は、収納検知リミットスイッチ４ａ，４ｂの出力がオフ信号からオン信号に変化するまで、昇降部９２ａ，９２ｂにワイヤ９１ａ，９１ｂの巻き取りを行わせる。そして、図１（ａ）に示すようにフラットパネル３が吸い込み口２１に達したことで収納検知リミットスイッチ４ａ，４ｂが共にオン信号を出力し、フラットパネル３のロックが解除された後に、パネル動作制御部１１は、昇降部９２ａ，９２ｂにワイヤ９１ａ，９１ｂの繰り出しを行わせる。
【００６７】
また、パネル動作制御部１１は、風量に基づいてフラットパネル３の開度を補正する。例えば、パネル動作制御部１１は、風量が所定タップより高い程、フラットパネル３の回動角度を大きくする。これにより、室内機１は、室内機１自体のデザイン性が損なわれることなく、空調運転を行うことができる。
【００６８】
〔ロック機構制御部〕
ロック機構制御部１２は、パネルロック機構８ａ，８ｂの制御を行う。例えば、ロック機構制御部１２は、パネルロック機構８ａ，８ｂのロックリミットスイッチ８３ａ、８３ｂの出力に基づいてフラットパネル３の状態を確認する。また、ロック機構制御部１２は、ロックリミットスイッチ８３ａ，８３ｂの出力に基づいて、フラットパネル３が確実に本体２にロックされるまで、またはフラットパネル３が確実にロック解除の状態となるまで、ロックモータ８２ａ，８２ｂを回転駆動させる。
【００６９】
より具体的には、ロック機構制御部１２は、フラットパネル３がロック解除状態時に空調運転の指示がなされた場合には、先ずは収納リミットスイッチ４ａ，４ｂの出力を確認する。そして、収納リミットスイッチ４ａ，４ｂの出力がオン信号であれば、ロック機構制御部１２は、ロックリミットスイッチ８３ａ，８３ｂの出力をモニターしながら、フラットパネル３が本体２にロックされるように、ロックモータ８２ａ，８２ｂを回転駆動させる。
【００７０】
また、上記条件１または条件２が満たされた場合には、ロック機構制御部１２は、収納検知リミットスイッチ４ａ，４ｂの出力に基づいてフラットパネル３のイニシャライズ処理や自動収納処理の完了を確認する。収納検知リミットスイッチ４ａ，４ｂがオン信号を出力していれば、ロック機構制御部１２は、ロックリミットスイッチ８３ａ，８３ｂの出力をモニターしながら、フラットパネル３の本体２へのロックが解除されるように、ロックモータ８２ａ，８２ｂを回転駆動させる。
【００７１】
〔表示制御部〕
表示制御部１３は、運転状態表示部７の制御を行う。
【００７２】
例えば、表示制御部１３は、ロックリミットスイッチ８３ａ，８３ｂがオン信号を出力し、収納検知リミットスイッチ４ａ，４ｂがオフ信号を出力している状態で（即ち、図１（ｂ））、空調運転が行われている時には、運転状態表示部７に緑色を点灯させる。表示制御部１３は、ロックリミットスイッチ８３ａ，８３ｂ及び収納検知リミットスイッチ４ａ，４ｂが共にオン信号を出力している状態で（即ち、図１（ａ））、フィルタ清掃運転が行われている時には、運転状態表示部７に橙色を点灯させる。更に、表示制御部１３は、フラットパネル３の昇降動作が禁止されている状態の時に、受信部６がフラットパネル３の昇降指示を受信した場合、運転状態表示部７に赤色を点灯させる。
【００７３】
また、表示制御部１３は、ロックリミットスイッチ８３ａ，８３ｂがオフ信号を出力している状態または収納検知リミットスイッチ４ａ，４ｂがオフ信号を出力している状態で（即ち、図１（ｂ）や図１（ｃ）の状態）、空調運転の開始指示を受信部６が受信した場合には、運転状態表示部７を赤色で点滅させる。
【００７４】
（２）動作
次に、本実施形態に係る室内機１の特徴的な動作について説明する。
【００７５】
（２−１）室内機１の電源が投入された時の動作（条件１）
図９及び１０は、室内機１の電源が投入された時の室内機１の動作を説明するためのフローチャートである。
【００７６】
ステップＳ１〜Ｓ２：室内機１の電源が投入されると（Ｓ１のＹｅｓ）、パネル動作制御部１１は、フラットパネル３についてイニシャライズ処理が行われるように、パネル昇降駆動部９ａ，９ｂを制御する。これにより、パネル昇降駆動部９ａ，９ｂの昇降部９２ａ，９２ｂは、ワイヤ９１ａ，９１ｂを巻き上げ、フラットパネル３を上昇させる（Ｓ２）。
【００７７】
ステップＳ３〜Ｓ５：イニシャライズ処理中に受信部６がフラットパネル３の下降指示を受信した場合（Ｓ３のＹｅｓ）、パネル動作制御部１１は、ロックリミットスイッチ８３ａ，８３ｂの出力に基づいて、フラットパネル３がロック状態及びロック解除状態のいずれの状態であるかを確認する（Ｓ４）。ロックリミットスイッチ８３ａ，８３ｂがオン信号を出力している場合は、パネル動作制御部１１は、フラットパネル３がロック状態であると判断し（Ｓ４のＹｅｓ）、フラットパネル３の上昇動作を継続させる（Ｓ５）。
【００７８】
尚、ステップＳ３において、フラットパネル３の下降指示を受信部６が受信していない場合には（Ｓ３のＮｏ）、パネル動作制御部１１は、フラットパネル３がロック状態であるか否かを判断することなく、フラットパネル３の上昇動作を継続させる（Ｓ５）。
【００７９】
ステップＳ６〜Ｓ７：収納検知リミットスイッチ４ａ，４ｂの出力がオン信号である場合には（Ｓ６のＹｅｓ）、パネル動作制御部１１及びロック機構制御部１２は、イニシャライズ処理が完了したと判断する（Ｓ７）。逆に、収納検知リミットスイッチ４ａ，４ｂの出力がオフ信号である場合には（Ｓ６のＮｏ）、パネル動作制御部１１は、イニシャライズ処理が完了していないと判断し、フラットパネル３の上昇動作を継続させる（Ｓ５）。
【００８０】
ステップＳ８：ステップＳ７の後（即ち、イニシャライズ処理が完了したと判断された後）においては、パネル動作制御部１１は、イニシャライズ処理中にフラットパネル３の下降指示がなされているか否かを確認する（Ｓ８）。イニシャライズ処理中にフラットパネル３の下降指示がなされている場合には（Ｓ８のＹｅｓ）、ロック機構制御部１２は、フラットパネル３の本体２へのロックが解除するように、パネルロック機構８ａ，８ｂを制御する。
【００８１】
ステップＳ９：ステップＳ３においてフラットパネル３の下降指示がなされた際に（Ｓ３のＹｅｓ）、ロックリミットスイッチ８３ａ，８３ｂがオフ信号を出力している場合には（Ｓ４のＮｏ）、パネル動作制御部１１は、ステップＳ３の下降指示が既にイニシャライズ処理完了後になされたものであると判断する（Ｓ９）。この時、フラットパネル３は、ロック解除状態にある。
【００８２】
ステップＳ１０：ステップＳ８においてイニシャライズ処理中に下降指示がなされていた場合（Ｓ８のＹｅｓ）、及びステップＳ９の後、パネル動作制御部１１は、フラットパネル３が下降するように、パネル昇降駆動部９ａ，９ｂを制御する（Ｓ１０）。これにより、パネル昇降駆動部９ａ，９ｂの昇降部９２ａ，９２ｂは、ワイヤ９１ａ，９１ｂを繰り出し、ロック解除状態であるフラットパネル３を下降させる。
【００８３】
ステップＳ１１〜Ｓ１２：フラットパネル３の下降中に、空調運転の開始指示を受信部６が受信した場合（Ｓ１１のＹｅｓ）、表示制御部１３は、運転状態表示部７を赤色で点滅させる（Ｓ１２）。
【００８４】
（２―２）室内機１の運転中に下降指示がなされた時の動作（条件２）
図１１は、室内機１の運転中に下降指示がなされた時の室内機１の動作を説明するためのフローチャートである。
【００８５】
ステップＳ２１〜Ｓ２２：室内機１が空調運転を行っている時に、フラットパネル３の下降指示を受信部６が受信した場合（Ｓ２１のＹｅｓ）、パネル動作制御部１１は、フラットパネル３について自動収納処理が行われるように、パネル昇降駆動部９ａ，９ｂを制御する。これにより、パネル昇降駆動部９ａ，９ｂの昇降部９２ａ，９２ｂは、ワイヤ９１ａ，９１ｂを巻き上げ、フラットパネル３を上昇させる（Ｓ２２）。
【００８６】
ステップＳ２３〜Ｓ２４：フラットパネル３が吸い込み口２１に達し、収納検知リミットスイッチ４ａ，４ｂの出力がオン信号となった場合には（Ｓ２３のＹｅｓ）、パネル動作制御部１１及びロック機構制御部１２は、自動収納処理が完了したと判断する。この場合、ロック機構制御部１２は、フラットパネル３の本体２へのロックが解除するように、パネルロック機構８ａ，８ｂを制御する。次いで、パネル動作制御部１１は、フラットパネル３が下降するように、パネル昇降駆動部９ａ，９ｂを制御する。これにより、フラットパネル３がロック解除状態となった後、パネル昇降駆動部９ａ，９ｂの昇降部９２ａ，９２ｂは、ワイヤ９１ａ，９１ｂを繰り出し、フラットパネル３を下降させる（Ｓ２４）。
【００８７】
ステップＳ２５〜Ｓ２６：フラットパネル３の下降中に、空調運転の開始指示を受信部６が受信した場合（Ｓ２５のＹｅｓ）、表示制御部１３は、運転状態表示部７を赤色で点滅させる（Ｓ２６）。
【００８８】
（３）効果
（Ａ)
本実施形態に係る室内機１によると、フラットパネル３が本体２にロックされている状態時にフラットパネル３の下降指示がなされると、フラットパネル３が急に下降しないように、フラットパネル３の動作の制御が行われる。これにより、フラットパネル３が本体２にロックされた状態においてワイヤ９１ａ，９１ｂが緩められていても、ロック解除されたフラットパネル３が緩められたワイヤ９１ａ，９１ｂにより急に落下することを防ぐことができる。
【００８９】
（Ｂ）
具体的に、室内機１の電源投入時にロック状態であるフラットパネル３の下降指示がなされた場合、先ずはフラットパネル３を一旦吸い込み口２１付近まで上昇させるイニシャライズ処理が行われる。そして、イニシャライズ処理が完了した後に、フラットパネル３のロックが解除され、フラットパネル３の下降動作が開始される。即ち、フラットパネル３は、イニシャライズ処理が完了するまでは、下降動作を行わない。そのため、電源投入時にワイヤ９１ａ，９１ｂが緩められている場合であっても、ロック解除されたフラットパネル３が、緩められたワイヤ９１ａ，９１ｂにより急に落下することを防ぐことができる。
【００９０】
（Ｃ）
また、室内機１では、パネル動作制御部１１は、収納検知リミットスイッチ４ａ，４ｂの出力がオフ信号のままである時は、イニシャライズ処理が完了していないと判断し、フラットパネル３の下降動作を開始させないようにする。そして、パネル動作制御部１１は、収納検知リミットスイッチ４ａ，４ｂの出力がオフ信号からオン信号に切り替わった場合、イニシャライズ処理が完了したと判断し、フラットパネル３の下降動作を開始させる。これにより、フラットパネル３の位置が確実に吸い込み口２１付近に達した後に、フラットパネル３の下降動作が行われるようになる。
【００９１】
（Ｄ）
また、本実施形態に係る室内機１によると、冷暖房運転やフィルタ清掃運転等の室内機１の運転時に、ロック状態であるフラットパネル３の下降指示がなされた場合、先ずはフラットパネル３を一旦吸い込み口２１付近まで上昇させる自動収納処理が行われる。そして、自動収納処理が完了した後に、フラットパネル３のロックが解除され、下降動作が開始される。即ち、自動収納処理完了前であれば、直ぐにはフラットパネル３の下降動作が行われない。そのため、室内機１の運転時にワイヤ９１ａ，９１ｂが緩められている場合であっても、ロック解除されたフラットパネル３が、緩められたワイヤ９１ａ，９１ｂにより急に落下することを防ぐことができる。
【００９２】
（Ｅ）
そして、パネル動作制御部１１は、収納検知リミットスイッチ４ａ，４ｂの検知結果がオフ信号のままであれば、自動収納処理が完了していないと判断し、フラットパネル３の下降動作を開始させないようにする。また、パネル動作制御部１１は、収納検知リミットスイッチ４ａ，４ｂの検知結果がオフ信号からオン信号に切り替わった場合、自動収納処理が完了したと判断し、フラットパネル３の下降動作を開始させる。これにより、フラットパネル３の位置が確実に吸い込み口２１付近に達した後に、フラットパネル３の下降動作が行われるようになる。
【００９３】
（Ｆ）
また、室内機１の運転状態表示部７は、フラットパネル３が本体２から下降した状態で空調運転（例えば、冷暖房運転）が行われることを表示する。そのため、利用者は、フラットパネル３が本体２の下方に下降した状態で空調運転が行われる旨を知ることができる。
【００９４】
（Ｇ）
また、室内機１では、回動タイプのフラットパネル３が採用されている。これにより、本体２の吸い込み口２１は、容易に開閉される。
【００９５】
（Ｈ）
また、室内機１によると、フラットパネル３がロック状態を採る場合には、フラットパネル３の回動軸３１が把持されるため、フラットパネル３は、安定して本体２にロックされるようになる。
【００９６】
＜その他の実施形態＞
（ａ）
上記実施形態では、運転状態表示部７がＬＥＤからなる場合について説明した。しかし、運転状態表示部７は、その時々の室内機１の運転状態を利用者に報知することができればよいため、ＬＥＤからなる構成に限定されない。運転状態表示部７のその他の構成としては、液晶や、液晶とＬＥＤとの組み合わせ、ＬＥＤと音との組み合わせ等が挙げられる。
【００９７】
（ｂ）
また、上記実施形態の室内機１において、パネル動作制御部１１は、フラットパネル３の本体２へのロックが解除された後の所定時間の間のみ、フラットパネル３の下降を可能としてもよい。ここで、所定時間は、予め室内機１の仕様等により決められているとし、例えば１３０秒以内等と設定される。尚、フラットパネル３の本体２へのロックが解除されてから所定時間が経過した後は、パネルロック機構８ａ，８ｂは、自動的にフラットパネル３を本体２にロックする。これにより、フラットパネル３の下降指示が不用意にリモートコントローラを介してなされ、フラットパネル３が下降してしまうことを防ぐことができる。
【００９８】
（ｃ）
上記実施形態では、パネルロック機構８ａ，８ｂが、把持部８１ａ，８１ｂ、ロックモータ８２ａ，８２ｂ及びロックリミットスイッチ８３ａ，８３ｂで構成される場合について説明した。しかし、フラットパネル３を本体２にロックまたはロック解除するための機構の構成は、これに限定されず、どのような構成であってもよい。
【００９９】
（ｄ）
上記実施形態では、フラットパネル３の回動軸３１が本体２の化粧パネル２ｂ側に設けられている場合について説明した。しかし、回動軸３１は、化粧パネル２ｂ側ではなく、フラットパネル３側に設けられていてもよい。
【０１００】
（ｅ）
上記実施形態では、第１検知部及び第２検知部が、共に収納検知リミットスイッチ４ａ，４ｂに相当する場合について説明した。しかし、第１検知部及び第２検知部は、それぞれ別々に備えられていても良い。
【０１０１】
また、上記実施形態では、第１所定位置及び第２所定位置が、共に位置Ｐである場合について説明した。しかし、第１所定位置及び第２所定位置は、互いに異なる位置であってもよい。
【０１０２】
（ｆ）
上記実施形態では、図９に示すように、ステップＳ３においてフラットパネル３の下降指示がなされており（Ｓ３のＹｅｓ）、更にその時のフラットパネル３がロック状態である場合には（Ｓ４のＹｅｓ）、イニシャライズ処理の完了後にフラットパネル３が下降を行う（Ｓ８のＹｅｓ、Ｓ１０）という制御を例に取り説明した。しかし、本発明に係るフラットパネル３は、イニシャライズ処理の完了後に必ずしも下降動作を行わずともよい。例えば、フラットパネル３がロック状態であって（Ｓ４のＹｅｓ）、かつイニシャライズ処理中にフラットパネル３の下降指示がなされた場合（Ｓ３のＹｅｓ）、フラットパネル３の下降指示があったが実際の下降動作を行わない旨を利用者に知らせるべく、下降指示がなされた時点で運転状態表示部７が点灯及び点滅してもよい。また、この場合においても、利用者への報知方法は、運転状態表示部７の点灯や点滅に限定されず、ブザーなどの音で知らせる方法、液晶に表示する方法、ＬＥＤ及び音の組み合わせ等が挙げられる。
【産業上の利用可能性】
【０１０３】
本発明に係る室内機は、ロック解除されたフラットパネルが急に落下することを防ぐことができるという効果を有し、天井設置型の空気調和装置の室内機に適用することができる。
【図面の簡単な説明】
【０１０４】
【図１】（ａ）本実施形態に係る空気調和装置の室内機の斜視図であって、フラットパネルが本体にロックされていると共に吸い込み口を閉じている状態を示す図。  （ｂ）本実施形態に係る空気調和装置の室内機の斜視図であって、フラットパネルが本体にロックされていると共に吸い込み口を開放している状態を示す図。  （ｃ）本実施形態に係る空気調和装置の室内機の斜視図であって、フラットパネルが本体に対しロック解除されており、室内機本体の下方に位置している状態を示す図。
【図２】本実施形態に係る室内機本体の内部の構成を示す概略図。
【図３】本実施形態に係るパネルロック機構とその付近の構成を示す概略図。
【図４】本実施形態に係る空気調和装置の室内機の斜視図であって、フラットパネルの一部分が本体にロックされている異常状態を示す図。
【図５】（ａ）本実施形態に係る化粧パネル付近の構成を本体内部側から見た場合の概略図であって、パネルがロック状態を採ると共に吸い込み口を閉じている状態を示す図。  （ｂ）本実施形態に係る化粧パネル付近の構成を本体内部側から見た場合の概略図であって、パネルがロック状態を採ると共に吸い込み口を開放している状態を示す図。  （ｃ）本実施形態に係る化粧パネル付近の構成を本体内部側から見た場合の概略図であって、パネルがロック解除状態を採ると共に吸い込み口の下方に位置している状態を示す図。
【図６】（ａ）利用者が空調運転指示を行う際に用いられるリモートコントローラの外観図。  （ｂ）利用者がフラットパネル３の昇降指示を行う際に用いられるリモートコンローラの外観図。
【図７】本実施形態に係るパネル昇降駆動部の構成を示す概略図。
【図８】本実施形態に係る室内機を構成する各機器を模式的に示すブロック図。
【図９】本実施形態に係る室内機の動作を説明するための図であって、室内機の電源が投入された時の室内機の動作を示すフローチャート１。
【図１０】本実施形態に係る室内機の動作を説明するための図であって、室内機の電源が投入された時の室内機の動作を示すフローチャート２。
【図１１】本実施形態に係る室内機の動作を説明するための図であって、室内機の運転中に下降指示がなされた時の室内機の動作を示すフローチャート。
【符号の説明】
【０１０５】
１  室内機
２  本体
２１  吸い込み口
２２  吹き出し口
２３  送風ファン
２４  室内熱交換器
２５  フィルタ
２６  フィルタ清掃機構
３  フラットパネル
３１  回動軸
３２  パネル回動用モータ
４ａ，４ｂ  収納検知リミットスイッチ
５  水平フラップ
６  受信部
７  運転状態表示部
８ａ，８ｂ  パネルロック機構
８１ａ，８１ｂ  把持部
８２ａ，８１ｂ  ロックモータ
８３ａ，８１ｂ  ロックリミットスイッチ
９ａ，９ｂ  パネル昇降駆動部
９１ａ，９１ｂ  ワイヤ
９２ａ，９２ｂ  昇降部
９７ａ，９７ｂ  位置検知カウンタリミットスイッチ
１０  制御部
１１  パネル動作制御部
１２  ロック機構制御部
１３  表示制御部
【図１】
0004894774.tif 000002
【図２】
0004894774.tif 000003
【図３】
0004894774.tif 000004
【図４】
0004894774.tif 000005
【図５】
0004894774.tif 000006
【図６】
0004894774.tif 000007
【図７】
0004894774.tif 000008
【図８】
0004894774.tif 000009
【図９】
0004894774.tif 000010
【図１０】
0004894774.tif 000011
【図１１】
0004894774.tif 000012